【手続補正書】
【提出日】平成21年5月21日(2009.5.21)
【手続補正１】
【補正対象書類名】特許請求の範囲
【補正対象項目名】全文
【補正方法】変更
【補正の内容】
【特許請求の範囲】
【請求項１】
無線基地局装置と、前記無線基地局装置の通信仕様を設定する無線基地局設定装置と、を含む無線基地局装置設定システムであって、
前記無線基地局装置は、
移動体通信端末装置と無線通信を行う無線通信部と、
前記無線基地局装置を示す識別情報を格納する識別情報格納部と、
前記無線基地局装置と異なる他の無線基地局装置から送信された無線信号を受信するアンテナ部と、
前記アンテナ部によって受信された無線信号から、前記他の無線基地局装置を示す特定情報および前記他の無線基地局装置からの距離を示す距離情報とを検出する検出部と、
前記検出部によって検出された特定情報および距離情報を前記識別情報格納部に格納された識別情報とともに前記無線基地局設定装置に供給し、前記無線基地局設定装置から供給された設定情報を受け取る通信部と、
前記通信部によって受け取られた設定情報に基づいて前記無線通信部の通信仕様を設定する通信仕様設定部とを含み、
前記無線基地局設定装置は、
既存の無線基地局装置を特定する特定情報と前記既存の無線基地局装置の位置および前記既存の無線基地局装置の通信仕様とを関連づけて格納する情報保存部と、
前記通信部から供給された特定情報、距離情報および識別情報とを受け取る情報受信部と、
前記情報受信部で受け取られた識別情報によって示される無線基地局装置を示す特定情報が前記情報保存部に格納されていると、該特定情報と、該特定情報に関連づけられて格納されている既存の無線基地局装置の位置およびその通信仕様とを前記情報保存部から削除し、前記情報受信部によって受け取られた特定情報と関連づけられて前記情報保存部に格納されている既存の無線基地局装置の位置と前記情報受信部によって受け取られた距離情報とに基づいて前記無線基地局装置の位置を推定し、その推定された位置の周囲に存在する既存の無線基地局装置の通信仕様を前記情報保存部から読み出し、その読み出した既存の無線基地局装置の通信仕様と前記推定された位置とに基づいて、前記無線通信部の通信仕様を決定し、その決定した通信仕様を前記情報保存部に格納する制御部と、
前記制御部によって決定された通信仕様を前記設定情報として前記無線基地局装置に供給する通信仕様送信部と含む、無線基地局装置設定システム。
【請求項２】
請求項１に記載の無線基地局装置設定システムにおいて、
前記他の無線基地局装置は、前記無線信号として、拡散符号系列によって拡散された送信データを送信し、
前記無線基地局装置に前記他の無線基地局装置が使用している無線信号周波数および前記拡散符号系列とを前記無線基地局装置に供給する無線基地局制御装置をさらに含み、
前記検出部は、前記無線基地局制御装置から供給された他の無線基地局装置が使用している無線信号周波数および拡散符号系列とに基づいて、前記アンテナ部によって受信された無線信号から、前記特定情報として該無線信号の拡散符号系列を検出し、前記距離情報として該無線信号の受信信号レベルおよび受信タイミングとを検出する、無線基地局装置設定システム。
【請求項３】
請求項１または２に記載の無線基地局装置設定システムにおいて、
前記無線基地局装置は、ユーザによって入力された前記無線基地局装置の希望通信仕様を示すユーザ希望情報を受け付ける入力部をさらに含み、
前記通信部は、さらに、前記入力部によって受け付けられたユーザ希望情報を前記無線基地局設定装置に供給し、
前記情報受信部は、さらに、前記通信部から供給されたユーザ希望情報を受け取り、
前記制御部は、前記読み出した既存の無線基地局装置の通信仕様と前記推定された位置と前記情報受信部によって受け取られたユーザ希望情報とに基づいて、前記無線通信部の通信仕様を決定する、無線基地局装置設定システム。
【請求項４】
請求項１または２に記載の無線基地局装置設定システムにおいて、
前記通信部は、さらに、前記無線通信部の通信処理能力を示す能力情報を前記無線基地局設定装置に供給し、
前記情報受信部は、さらに、前記通信部から供給された能力情報を受け取り、
前記制御部は、前記読み出した既存の無線基地局装置の通信仕様と前記推定された位置と前記情報受信部によって受け取られた能力情報とに基づいて、前記無線通信部の通信仕様を決定する、無線基地局装置設定システム。
【請求項５】
請求項３に記載の無線基地局装置設定システムにおいて、
前記通信部は、さらに、前記無線通信部の通信処理能力を示す能力情報を前記無線基地局設定装置に供給し、
前記情報受信部は、さらに、前記通信部から供給された能力情報を受け取り、
前記制御部は、前記読み出した既存の無線基地局装置の通信仕様と前記推定された位置と前記情報受信部によって受け取られたユーザ希望情報および能力情報とに基づいて、前記無線通信部の通信仕様を決定する、無線基地局装置設定システム。
【請求項６】
請求項１ないし５のいずれか１項に記載の無線基地局装置設定システムにおいて、
前記無線基地局装置は、ＧＰＳ衛星によって提供される現在位置を示す位置情報を取得する位置情報取得部をさらに含み、
前記通信部は、さらに、前記位置情報取得部によって取得された位置情報を前記無線基地局設定装置に供給し、
前記情報受信部は、さらに、前記通信部から供給された位置情報を受信し、
前記制御部は、前記無線基地局装置の位置を推定する際、前記情報受信部によって受け取られた特定情報と関連づけられて前記情報保存部に格納されている既存の無線基地局装置の位置と前記情報受信部によって受信された距離情報と前記情報受信部によって受信された位置情報とに基づいて前記無線基地局装置の位置を推定する、無線基地局装置設定システム。
【請求項７】
無線基地局装置と、前記無線基地局装置の通信仕様を設定する無線基地局設定装置と、を含む無線基地局装置設定システムであって、
前記無線基地局装置は、
移動体通信端末装置と無線通信を行う無線通信部と、
前記無線基地局装置の現在位置を示す測位情報を取得する位置情報取得部を少なくとも含み、
前記無線基地局設定装置は、
前記無線基地局装置から供給された位置情報及び受信信号情報を受信する情報受信部と、
前記無線基地局装置の周囲に存在する既存の無線基地局装置の通信仕様を情報保存部から読み出し、その読み出した既存の無線基地局装置の通信仕様と前記位置情報とに基づいて、前記無線通信部の通信仕様を決定し、その決定した通信仕様を前記情報保存部に格納する制御部と、
前記制御部によって決定された通信仕様を設定情報として前記無線基地局装置に供給する通信仕様送信部と含む、無線基地局装置設定システム。
【請求項８】
前記情報受信部は、前記無線基地局装置から前記位置情報及び前記既存の無線基地局装置から受信した受信信号情報を受信する請求項７に記載の無線基地局設定システム。
【請求項９】
無線基地局装置と、前記無線基地局装置の通信仕様を設定する無線基地局設定装置と、を含む無線基地局装置設定システムが行う無線基地局装置設定方法であって、
前記無線基地局装置は、移動体通信端末装置と無線通信を行う無線通信部と、前記無線基地局装置を示す識別情報を格納する識別情報格納部とを含み、
前記無線基地局設定装置は、既存の無線基地局装置を特定する特定情報と前記既存の無線基地局装置の位置および前記既存の無線基地局装置の通信仕様とを関連づけて格納する情報保存部を含み、
前記無線基地局装置が前記無線基地局装置と異なる他の無線基地局装置から送信された無線信号を受信する無線信号受信ステップと、
前記無線基地局装置が前記無線信号受信ステップで受信された無線信号から前記他の無線基地局装置を示す特定情報および前記他の無線基地局装置からの距離を示す距離情報とを検出する検出ステップと、
前記無線基地局装置が前記検出ステップで検出された特定情報および距離情報を前記識別情報格納部に格納された識別情報とともに前記無線基地局設定装置に供給する供給ステップと、
前記無線基地局設定装置が前記供給ステップで供給された特定情報、距離情報および識別情報とを受け取る情報受信ステップと、
前記無線基地局設定装置が前記情報受信ステップで受け取られた識別情報によって示される無線基地局装置を示す特定情報が前記情報保存部に格納されていると、該特定情報と、該特定情報に関連づけられて格納されている既存の無線基地局装置の位置およびその通信仕様とを前記情報保存部から削除し、前記情報受信ステップで受け取られた特定情報と関連づけられて前記情報保存部に格納されている既存の無線基地局装置の位置と前記情報受信部によって受け取られた距離情報とに基づいて前記無線基地局装置の位置を推定し、その推定された位置の周囲に存在する既存の無線基地局装置の通信仕様を前記情報保存部から読み出し、その読み出した既存の無線基地局装置の通信仕様と前記推定された位置とに基づいて、前記無線通信部の通信仕様を決定し、その決定した通信仕様を前記情報保存部に格納する制御ステップと、
前記無線基地局設定装置が前記制御ステップで決定された通信仕様を前記設定情報として前記無線基地局装置に供給する通信仕様送信ステップと、
前記無線基地局装置が前記通信仕様送信ステップで供給された設定情報を受け取る設定情報受信ステップと、
前記無線基地局装置が前記設定情報受信ステップで受け取られた設定情報に基づいて前記無線通信部の通信仕様を設定する通信仕様設定ステップとを含む、無線基地局装置設定方法。
【請求項１０】
請求項９に記載の無線基地局装置設定方法において、
前記他の無線基地局装置は、前記無線信号として、拡散符号系列によって拡散された送信データを送信し、
前記無線基地局装置設定システムは、前記無線基地局装置に前記他の無線基地局装置が使用している無線信号周波数および前記拡散符号系列とを前記無線基地局装置に供給する無線基地局制御装置をさらに含み、
前記検出ステップは、前記無線基地局制御装置から供給された他の無線基地局装置が使用している無線信号周波数および拡散符号系列とに基づいて、前記無線信号受信ステップで受信された無線信号から、前記特定情報として該無線信号の拡散符号系列を検出し、前記距離情報として該無線信号の受信信号レベルおよび受信タイミングとを検出する、無線基地局装置設定方法。
【請求項１１】
請求項９または１０に記載の無線基地局装置設定方法において、
前記無線基地局装置がユーザによって入力された前記無線基地局装置の希望通信仕様を示すユーザ希望情報を受け付ける入力ステップをさらに含み、
前記供給ステップは、さらに、前記入力ステップで受け付けられたユーザ希望情報を前記無線基地局設定装置に供給し、
前記情報受信ステップは、さらに、前記供給ステップで供給されたユーザ希望情報を受け取り、
前記制御ステップは、前記読み出した既存の無線基地局装置の通信仕様と前記推定された位置と前記情報受信ステップで受け取られたユーザ希望情報とに基づいて、前記無線通信部の通信仕様を決定する、無線基地局装置設定方法。
【請求項１２】
請求項９または１０に記載の無線基地局装置設定方法において、
前記供給ステップは、さらに、前記無線通信部の通信処理能力を示す能力情報を前記無線基地局設定装置に供給し、
前記情報受信ステップは、さらに、前記供給ステップで供給された能力情報を受け取り、
前記制御ステップは、前記読み出した既存の無線基地局装置の通信仕様と前記推定された位置と前記情報受信ステップで受け取られた能力情報とに基づいて、前記無線通信部の通信仕様を決定する、無線基地局装置設定方法。
【請求項１３】
請求項１１に記載の無線基地局装置設定方法において、
前記供給ステップは、さらに、前記無線通信部の通信処理能力を示す能力情報を前記無線基地局設定装置に供給し、
前記情報受信ステップは、さらに、前記供給ステップで供給された能力情報を受け取り、
前記制御ステップは、前記読み出した既存の無線基地局装置の通信仕様と前記推定された位置と前記情報受信ステップで受け取られたユーザ希望情報および能力情報とに基づいて、前記無線通信部の通信仕様を決定する、無線基地局装置設定方法。
【請求項１４】
請求項９ないし１３のいずれか１項に記載の無線基地局装置設定方法において、
前記無線基地局装置がＧＰＳ衛星によって提供される現在位置を示す位置情報を取得する位置情報取得ステップをさらに含み、
前記供給ステップは、さらに、前記位置情報取得ステップで取得された位置情報を前記無線基地局設定装置に供給し、
前記情報受信ステップは、さらに、前記供給ステップで供給された位置情報を受信し、
前記制御ステップは、前記無線基地局装置の位置を推定する際、前記情報受信ステップで受け取られた特定情報と関連づけられて前記情報保存部に格納されている既存の無線基地局装置の位置と前記情報受信ステップで受信された距離情報と前記情報受信ステップで受信された位置情報とに基づいて前記無線基地局装置の位置を推定する、無線基地局装置設定方法。
【請求項１５】
移動体通信端末装置と無線通信を行う無線通信部を含む無線基地局装置と、前記無線基地局装置の通信仕様を設定する無線基地局設定装置とを用いる無線基地局装置設定方法であって、
測位手段から提供される無線基地局装置の現在位置を示す位置情報と、前記無線基地局装置を示す識別情報を前記無線基地局設定装置に送るステップと、
前記無線基地局設定装置が前記無線基地局装置から供給された位置情報を受信するステップと、
前記無線基地局装置の周囲に存在する既存の無線基地局装置の通信仕様を情報保存部から読み出すステップと、
その読み出した既存の無線基地局装置の通信仕様と前記位置情報とに基づいて、前記無線通信部の通信仕様を決定するステップと、
前記決定された通信仕様を設定情報として前記無線基地局装置に供給するステップと、を含む無線基地局装置設定方法。
【請求項１６】
前記無線基地局設定装置が、前記無線基地局装置から位置情報及び前記既存の無線基地局装置から受信した受信信号情報を受信するステップを含む請求項１５に記載の無線基地局装置設定方法。